(57)【要約】【課題】  構成の簡素化と全体の小型化を図る。【解決手段】  上部に複数の商品１が収納される収納部１２が設けられると共に、下部に商品１の取出口１５と連通した商品の排出路２８が設けられた筐体１１と、収納部１２内の商品１を保持するコインメック機構１７のシャフト１７ａに連結されて回転する保持体２１と、収納部１２の下側に、保持体２１側の一端部が下側となるよう傾斜して設けられ、この一端部が保持体２１の開口部２３に支持される可動板２２とを備える。自動販売機１０は、待機状態において、保持体２１の開口部２３が収納部１２に臨み、保持部２４で商品１を保持している。コインメック機構１７のハンドル１６ｂが回転されると、保持体２１は、回転して、開口部２３が排出路２８の臨むことで、商品１が取出口１５より排出される。保持体２１の回転に連動して可動板が回動し、収納部１２内の商品１を揺動させ、次の商品１が確実に保持体２１に保持されるようにする。【選択図】  図２
2005309981.tif 000002
【特許請求の範囲】
【請求項１】
上部に複数の商品が収納される収納部が設けられると共に、下部に商品の取出口と連続した商品の排出路が設けられた筐体と、
回転可能な操作部と、この操作部に連結された回転体とを有し、コインが投入されたとき、上記操作部に接続された回転体が略１回転することを許可するコインメック機構と、
上記収納部内の商品が進入する開口部に連続して、この開口部から進入した上記商品を保持する保持部が設けられ、上記回転体に連結されて回転する保持体と、
上記収納部の下側に設けられ、先端部が上記保持体に支持される可動板とを備え、
待機状態において、上記保持体は、上記開口部が上記収納部に臨み、上記保持部で上記商品を保持すると共に、上記開口部の開口端で上記可動板の先端部を、この先端部が下側となるように支持し、
上記コインメック機構の操作部が回転されると、上記保持体は、上記回転体と共に回転し、上記開口部が上記排出路に臨み、上記商品を上記排出路に排出すると共に、上記開口部の開口端で上記可動板を可動させ上記収納部内の複数の商品を揺動させることを特徴とする自動販売機。
【請求項２】
上記収納部には、上記可動板に連動して上記収納部内の複数の商品を揺動させる揺動板が設けられていることを特徴とする請求項１記載の自動販売機。
【請求項３】
上記可動板は、付勢部材によって上記収納部の下側に向かって付勢されていることを特徴とする請求項１又は請求項２記載の自動販売機。
【発明の詳細な説明】
【技術分野】
【０００１】
本発明は、キャラクタ商品をプラスチック製のカプセルに収納した商品等を販売する自動販売機に関する。
【背景技術】
【０００２】
自動販売機には、小型のキャラクタ商品を略球状のプラスチック製のカプセルに収納した商品を販売するためのものがある。この自動販売機では、例えば正規硬貨を１又は２枚入れると、操作部を構成するハンドルが１回転し、複数の商品が収納された収納部から一の商品が取出口より排出される（特許文献１参照）。
【０００３】
この特許文献１の自動販売機に用いられている商品排出機構は、複数の商品が収納された収納部の底部に、操作部であるハンドルにより回転される商品排出開口が設けられたドラムが設けられている。このドラムは、ハンドルの回転に連動して回転し、収納部内の商品が商品排出開口に進入することで、ユーザが商品を取り出す取出口に連通した商品排出路に商品が排出されるようになっている。また、特許文献１の自動販売機では、収納部内の商品が確実にドラムの商品排出開口に落とすことができるように収納部内の商品を攪拌する棒状のバネが複数設けられている。
【０００４】
特許文献１に示した自動販売機は、収納部内の商品を確実に抽出し取出口より排出するため複雑な機構を有しており、部品点数も多く、組立も複雑である。また、小型化も困難である。
【０００５】
【特許文献１】特開平８−２１２４３０号公報
【発明の開示】
【発明が解決しようとする課題】
【０００６】
本発明は、以上のような問題点に鑑みてなされたものであり、その目的は、構成の簡素化を図り全体の小型化を図ることができる自動販売機を提供することにある。
【０００７】
また、本発明の目的は、簡単な構成で収納部の商品を確実に排出することができるようにする自動販売機を提供することにある。
【課題を解決するための手段】
【０００８】
本発明に係る自動販売機は、上部に複数の商品が収納される収納部が設けられると共に、下部に商品の取出口と連続した商品の排出路が設けられた筐体と、回転可能な操作部と、この操作部に連結された回転体とを有し、コインが投入されたとき、操作部に接続された回転体が略１回転することを許可するコインメック機構と、収納部内の商品が進入する開口部に連続して、この開口部から進入した商品を保持する保持部が設けられ、回転体に連結されて回転する保持体と、収納部の下側に設けられ、先端部が保持体に支持される可動板とを備える。
【０００９】
待機状態において、保持体は、開口部が収納部に臨み、保持部で商品を保持すると共に、開口部の開口端で可動板の先端部を、この先端部が下側となるように支持しする。そして、コインメック機構の操作部が回転されると、保持体は、回転体と共に回転し、開口部が排出路に臨み、商品を排出路に排出すると共に、開口部の開口端で可動板を可動させ収納部内の複数の商品を揺動させる。
【発明の効果】
【００１０】
本発明によれば、コインメック機構の回転体に連結された保持体で収納部内の商品を保持するようにし、この保持体の回転によって収納部内の商品を排出路に送り出す構成としたので、構成の簡素化を図ることができ、全体の小型化を図ることができる。また、保持体の回転を利用して可動板を可動させるようにしたので、この可動板の可動により収納部内の商品が揺動し、次の商品を確実に保持体の開口部より保持部に進入させ保持させることができる。すなわち、従来のように収納部内の商品を攪拌する機構を設ける必要も無くなり、構成の簡素化を図ることができる。
【発明を実施するための最良の形態】
【００１１】
以下、本発明を適用した自動販売機を図面を参照して説明する。
【００１２】
図１に示すように、本発明を適用した自動販売機１０は、小型のキャラクタ商品を略球状のプラスチック製のカプセルに収納した商品１を販売する。この自動販売機１０は、筐体１１を有し、この筐体１１の上部に、商品となる商品１が複数収納される収納部１２が設けられている。この収納部１２が設ける部分は、透明又は半透明に形成されており、収納部１２内の商品１を目視することができるようになっている。筐体１１は、収納部１２の下側に、収納部１２から抽出した一の商品１を排出するためのカプセル排出機構が設けられている。筐体１１のカプセル排出機構が設けられた下部は、商品排出機構を隠すように不透明に形成されている。
【００１３】
収納部１２が設けられた筐体１１の前面上部は、収納部１２に商品１を入れるための蓋体１３となっており、この蓋体１３は、ヒンジ１４を介して筐体１１に対して回動可能に取り付けられている。なお、図示しないが、この蓋体１３は、ロック機構を設け、管理者が商品１の補充時に限って収納部１２を開放することができるようになっている。
【００１４】
筐体１１の前面下部には、幅方向の一方の側に、収納部１２に収納された商品１を取り出すための取出口１５が設けられていると共に、幅方向の他方の側に、ユーザが操作する操作部１６が設けられている。筐体１１の前面下部には、この操作部１６として、硬貨等を挿入するコイン挿入口１６ａとユーザが回転操作を行うハンドル１６ｂが設けられている。コイン挿入口１６ａやハンドル１６ｂは、筐体１１下部の内部に配設されるコインメック機構１７の一部を構成する。
【００１５】
このコインメック機構１７は、図１及び図２に示すように、ハンドル１６ｂの回転軸と一体に回転する回転体となるシャフト１７ａと、コイン挿入口１６ａより所定のコインが挿入されたときに限ってシャフト１７ａの回転を許可するロック機構等を有している。コインメック機構１７は、コイン挿入口１６ａより所定のコインが挿入されると、ロック機構のロックを解除し、回転体であるシャフト１７ａを回転可能にし、ユーザによってハンドル１６ｂが回転操作されることにより、シャフト１７ａが回転する。
【００１６】
筐体１１内の下部には、図１及び図２に示すように、収納部１２に収納されている商品１を排出するための商品排出機構２０が設けられている。この商品排出機構２０は、コインメック機構１７の裏側に位置するように設けられ、商品１を保持する保持体２１と、収納部１２の底面を構成する可動板２２とを有する。
【００１７】
保持体２１は、収納部１２内の複数の商品１の中の一の商品１を保持する。この保持体２１は、図２に示すように、略円筒体の円弧面で構成された側面を切り欠いた形状をしており、この切欠部分が収納部１２内の一の商品１が進入可能に形成された開口部２３となっている。また、この保持体２１は、内部に、開口部２３と連続して一の商品１を保持する保持部２４が形成されている。また、この保持体２１の一主面には、コインメック機構１７のシャフト１７ａが接続されている。したがって、この保持体２１は、ハンドル１６ｂの回転に伴って図２中矢印Ａ方向に回転する。
【００１８】
なお、この保持体２１に接続あれるシャフト１７ａは、手動で操作されるハンドル１６ｂで回転される他、モータ等の駆動源として回転されるようにしても良い。
【００１９】
可動板２２は、収納部１２の底面を構成するものであり、筐体１１の一側面１１ａにヒンジ２５によって収納部１２の上下方向となる図２中矢印Ｂ方向及び反矢印Ｂ方向に回動可能に取り付けられている。この可動板２２は、ここでは例えば略矩形をなし、先端部２２ａが保持体２１の開口部２３に臨む長さに形成されている。具体的に、可動板２２の先端部２２ａは、保持体２１が開口部２３が収納部１２側を向いた待機状態において、開口部２３を構成する開口端に支持される。この可動板２２は、回動支点となるヒンジ２５が保持体２１の開口部２３の開口端より高い位置に設けられている。したがって、可動板２２は、待機状態において、先端部２２ａが開口部２３に向かって下るように傾斜した状態で保持体２１の開口部２３の開口端に支持され、収納部１２に収納された商品１が順次保持体２１の開口部２３に進入するようになっている。
【００２０】
また、この可動板２２は、コイルバネ等の付勢部材２６によって、保持体２２の開口部２３の開口端に押しつける図２中反矢印Ｂ方向に回動付勢されている。具体的に、この付勢部材２６は、一端が可動板２２の一方の長辺の側縁部の中程に設けられた係止突起２６ａに係止されると共に、他端が筐体１１の背面１１ｃに設けられた係止突起２６ｂに係止されることによって、可動板２２を図２中反矢印Ｂ方向に回動付勢する。可動板２２は、保持体２１が回転することによって、付勢部材２６の付勢力に抗して開口部２３の開口端で押し上げられ図２中矢印Ｂ方向に回動し、押圧力が加わらなくなったとき、付勢部材２６の付勢力によって図２中反矢印Ｂ方向に回動することになる。可動板２２は、保持体２１の回転に連動して回動することによって、収納部１２に収納された複数の商品を揺動し、次の商品１が確実に保持体２１内の保持部２４に保持されるようにしている。
【００２１】
この可動板２２には、図２に示すように、収納部１内の複数の商品１を揺動する揺動板３２が連結されている。この揺動板３２は、筐体１１の背面１１ｃに、収納部１２の上下方向、すなわち図２中矢印Ｃ方向及び反矢印Ｃ方向に移動可能に取り付けられている。具体的に、揺動板３２には、上下方向の移動可能範囲を規制すると共に傾きを規制するガイド孔３２ａが形成され、このガイド孔３２ａには、筐体１１の背面１１ｃに設けられたガイド突起３２ｂが係合され、止めリング３２ｃで脱落が防止されている。この揺動板３２は、可動板２２に設けられた係止突起２６ａに支軸３２ｄを中心に回動可能に取り付けられている。
【００２２】
可動板２２に取り付けられた揺動板３２は、付勢部材２６により常時図２中反矢印Ｃ方向に付勢されており、可動板２２が図２中矢印Ｂ方向に回動したとき、可動板２２に連動して収納部１２の上方向である図２中矢印Ｃ方向に移動し、可動板２２が図２中反矢印Ｂ方向に回動したとき、収納部１２の下方向である図２中反矢印Ｃ方向に移動する。揺動板３２は、可動板２２の回動に伴って上下することにより、収納部１２内の複数の商品１を揺動させることができ、保持体２１の保持部２４より商品１が排出された後次の商品１を確実に開口部２３より商品１を保持部２４に進入させることができる。
【００２３】
特に、図３に示すように、収納部１２内で、収納部１２の幅と一列に並んだ略球状の商品１の幅が一致してしまい、その状態が保持されてしまう場合にも、揺動板３２が上下に移動することによって、この状態を崩すことができる。
【００２４】
なお、この揺動板３２の形状は、図２では矩形をなすが、特に限定されるものではなく、例えばハート形、丸形、三角形等であっても良い。また、この揺動板３２の表面には、更に、収納部１２内の商品１を効率よく揺動することができるように凹凸を設けるようにしても良い。
【００２５】
また、収納部１２を構成する筐体１１の他側面１１ｂであって保持体２１の近傍には、収納部１２内の商品１が保持体２１の開口部２３に進入し易くするため略弧状に膨出したガイド突部２７が設けられている。
【００２６】
収納部１２の下側には、保持体２１と取出口１５を繋ぐ商品１の排出路２８となっており、可動板２２は、収納部１２と排出路２８とを仕切る仕切板としても機能する。この排出路２８は、上面が可動板２２により構成され、底面が第１のガイド板２９により構成されている。この第１のガイド板２９は、保持体２１と取出口１５の手前まで商品１をガイドするものであり、保持体２１側から取出口１５側に下るように傾斜して設けられている。また、この第１のガイド板２９は、保持体２１側の端部が略円筒状の保持体２１の周面を覆うように略弧状をなすように形成され、商品１を保持している保持体２１が図２中矢印Ａ方向に回転する際、保持されている商品１が脱落しないようにするための受け部２９ａとなっている。
【００２７】
また、排出路２８は、取出口１５の設けられた位置において、第１のガイド板２９の他端部と連続するように第２のガイド板３１が設けられている。この第２のガイド板３１は、筐体１１の背面１１ｃから前面１１ｄに下るように傾斜して設けられ、第１のガイド板２９によって搬送された商品１が取出口１５より排出されるようになっている。すなわち、保持体２１から排出された略球状の商品１は、第１のガイド板２９を転がって第２のガイド板３１に至り取出口１５より排出されることになる。
【００２８】
なお、取出口１５には、第１及び第２のガイド板２９，３１より排出された商品１が落下し無いように蓋体を設けるようにしても良い。また、この蓋体の内側には、第２のガイド板３１からの商品を保持する保持部を設けるようにしても良い。
【００２９】
次に、以上のように構成された自動販売機１０の動作について説明する。
【００３０】
図３に示すように、ユーザによって操作されていない待機状態において、保持体２１は、保持部２４と連続した開口部２３が収納部１２側を向き、保持体２１の保持部２４には、一の商品１が保持された状態にある。また、付勢部材２６により図３中反矢印Ｃ方向に付勢されている可動板２２は、ヒンジ２５を支点に図３中反矢印Ｂ方向に回動し、先端部２２ａが保持体２１の開口部２３に向かって下るように傾斜し、開口部２３の開口端に支持された状態にある。
【００３１】
図１に示すように、ユーザにより所定枚数のコインがコイン挿入口１６ａに挿入されると、コインメック機構１７は、ロック機構のロックを解除してハンドル１６ｂが回転可能な状態にする。ユーザによりハンドル１６ｂが図１中矢印Ａ方向に回転されると、ハンドル１６ｂの回転に伴ってシャフト１７ａも同方向に回転する。すると、図４に示すように、商品１を保持部２４に保持している保持体２１は、図４中矢印Ａ方向に回転を開始し、可動板２２の先端部２２ａは、保持体２１の開口部２３の開口端、次いで円弧面で構成された側面によって押し上げられ、付勢部材２６の付勢力に抗して、ヒンジ２５を中心に図４中反矢印Ｂ方向に回動することになる。また、揺動板３２は、可動板２２の回動に連動して図４中矢印Ｃ方向に移動する。また、保持体２１の保持部２４に保持されている商品１は、第１のガイド板２９の受け部２９ａと筐体１１の他側面１１ｂによって回転途中に開口部２３より脱落することが防止される。
【００３２】
保持体２１が図４の状態より更に回転されると、図５に示すように、保持体２１の開口部２３は、排出路２８に臨み、開口部２３より保持部２４で保持されている商品１が排出される。すると、保持体２１より排出された商品１は、第１のガイド板２９に沿って取出口１５の方向となる図５中矢印Ｄ方向に転がり、第２のガイド板３１に沿って筐体１１の前面１１ｄに設けられた取出口１５より排出される。
【００３３】
保持体２１が図５に示す様態より更に回転されると、図６に示すように、保持体２１の開口部２３は、収納部１２側を向き始める。すると、保持体２１の開口部２３の開口端に、付勢部材２６により図６中反矢印Ｃ方向に付勢されている可動板２２の先端部２２ａが当たり、可動板２２は、先端部２２ａが保持体２１の開口部２３の開口端によって押し上げられることで、ヒンジ２５を支点に図６中反矢印Ｂ方向に回動し、可動板２２の先端部２２ａが突き当てられる。揺動板３２も可動板２２の回動に連動して図６中反矢印Ｃ方向に移動する。更に保持体２１が回転されると、保持体２１の開口部２３が収納部１２に臨んだ図３に示す初期状態に戻り、次の商品１は、収納部１２に臨んだ開口部２３より保持体２１の収納部２４に進入し保持されることになる。
【００３４】
保持体２１が１回転する一連の動作の中で、可動板２２は、ヒンジ２５を支点に図３中矢印Ｂ方向及び反矢印Ｂ方向に回動し、更に、揺動板３２も、可動板２２の回動に連動して図３中矢印Ｃ方向及び反矢印Ｃ方向に移動することで、収納部１２内の複数の商品１を揺動させる。したがって、図３に示すように、収納部１２内で、収納部１２の幅と一列に並んだ略球状の商品１の幅が一致してしまい、その状態が保持されてしまう場合にも、この状態を崩すことができ、次の商品１を確実に保持体２１の保持部２４に保持させることができる。
【００３５】
以上のように構成された自動販売機１０では、コインメック機構１７のシャフト１７ａに連結された保持体２１で収納部１２内の商品１を保持するようにし、この保持体２１の回転によって収納部１２内の商品１を排出路２８に送り出す構成としたので、商品排出機構２０の簡素化を図ることができ、全体の小型化を図ることができる。また、保持体２１の回転を利用して収納部１２の底面を構成する可動板２２を回動させるようにしたので、この可動板２２の回動により収納部１２内の商品１が揺動し、次の商品１を確実に保持体２１の開口部２３より保持部２４に進入させ保持させることができる。すなわち、従来のように収納部１２内の商品１を攪拌する機構を設ける必要も無くなり、構成の簡素化を図ることができる。
【００３６】
なお、商品１としては、キャラクタ商品を略球状のカプセルに収納したものに限定されるものではなく、商品単体のものであっても良く、また、形状も略球状に限定されるものではない。また、保持体２１は、一度に複数の商品１を保持する構成としても良い。
【図面の簡単な説明】
【００３７】
【図１】本発明を適用した自動販売機の斜視図である。
【図２】本発明を適用した自動販売機の内部構成を示す斜視図である。
【図３】上記自動販売機の待機状態を示す正面図である。
【図４】商品を保持した保持体の回転開始時を示す正面図である。
【図５】商品を排出路に送り出した状態を示す正面図である。
【図６】保持体が商品を排出した後、待機状態に戻るまでの間の状態を示す正面図である。
【符号の説明】
【００３８】
１  商品、１０  自動販売機、１１  筐体、１２  収納部、１５  取出口、１６  操作部、１６ａ  コイン挿入口、１６ｂ  ハンドル、１７  コインメック機構、１７ａ  シャフト、２０  商品排出機構、２１  保持体、２２  可動板、２２ａ  先端部、２３  開口部、２４  保持部、２５  ヒンジ、２６  付勢部材、２６ａ，２６ｂ  係止突起、２７  ガイド突部、２８  排出路、２９  第１のガイド板、２９ａ  受け部、３１  第２のガイド板、３２  揺動板、３２ａ  ガイド孔、３２ｂ  ガイド突起、３２ｃ  止めリング、３２ｄ  支軸
【図１】
2005309981.tif 000003
【図２】
2005309981.tif 000004
【図３】
2005309981.tif 000005
【図４】
2005309981.tif 000006
【図５】
2005309981.tif 000007
【図６】
2005309981.tif 000008